(57)【要約】【課題】引戸に換気機能を容易に持たせることができる下框部材、並びに、これを備えた引戸及び引き違い窓を提供する。【解決手段】下框部材１の框本体２０の側板部２１に換気口１３を形成し、当該換気口１３を開閉部１５により開閉する。これにより、引戸に換気装置を別途取り付けるような構成と比較して、引戸に換気機能を容易に持たせることができる。また、下框部材１には戸車取付部２６が設けられているため、戸車１１が消耗した場合などに、下框部材１ごと交換することにより、戸車１１の交換と同時に、引戸に換気機能を持たせることができる。【選択図】  図３
2013213358.tif 000002
【特許請求の範囲】
【請求項１】
互いに平行に延びる１対の側板部を有する中空状の框本体と、
前記框本体内に形成され、レール上を転動する戸車を取り付けるための戸車取付部と、
前記１対の側板部の少なくとも一方に形成された換気口と、
前記框本体に取り付けられ、前記換気口を開閉するための開閉部とを備えたことを特徴とする下框部材。
【請求項２】
前記開閉部は、前記框本体に対してスライド可能に取り付けられた開閉板と、前記開閉板をスライドさせる際に操作するための操作部とを備え、
前記開閉板は、当該開閉板に形成されている開口が前記換気口に対向しない第１の位置で前記換気口を閉塞し、前記開口が前記換気口に対向する第２の位置で前記換気口を開放することを特徴とする請求項１に記載の下框部材。
【請求項３】
前記戸車取付部は、前記框本体の両端部に形成され、
前記換気口は、前記框本体の両端部にそれぞれ形成された前記戸車取付部の間に形成されており、
前記框本体内には、前記開閉板をスライド可能に保持するためのガイド部が形成されることにより、前記開閉板を前記框本体の一端部から前記框本体内に挿入し、前記ガイド部に沿って前記開閉板を取り付けた後、前記戸車を前記戸車取付部に取り付けることができるようになっていることを特徴とする請求項２に記載の下框部材。
【請求項４】
前記換気口は、前記１対の側板部にそれぞれ形成されており、
前記１対の側板部のうち一方の側板部に換気口が形成されている第１領域と、他方の側板部に換気口が形成されている第２領域とが、互いに対向しないように配置されていることを特徴とする請求項１〜３のいずれかに記載の下框部材。
【請求項５】
請求項１〜４のいずれかに記載の下框部材を含む矩形状の枠体と、
前記枠体により保持される壁面部とを備えたことを特徴とする引戸。
【請求項６】
複数の窓を備え、
前記複数の窓の少なくとも１つが、請求項１〜４のいずれかに記載の下框部材を含む矩形状の枠体と、前記枠体により保持されるガラス板とを備えたことを特徴とする引き違い窓。
【発明の詳細な説明】
【技術分野】
【０００１】
本発明は、レール上を転動する戸車を取り付けるための戸車取付部を備えた下框部材、並びに、これを備えた引戸及び引き違い窓に関するものである。
【背景技術】
【０００２】
アルミサッシなどからなる枠体を備えた引戸の一例として、レール上を転動する戸車が取り付けられた引戸が知られている。この種の引戸の中でも、室内と室外とを区画するための引戸においては、室内と室外との気温差によって結露が生じる場合があるため、結露を防止できるような構成が望まれている。
【０００３】
上記のような引戸において結露を防止するための構成として、例えば樹脂製のサッシを用いた構成などが提案されている。しかしながら、樹脂製のサッシを用いたとしても、結露を防止できる範囲には限界があり、室内と室外との気温差が大きい場合には、やはり結露を防止することは困難である。このように気温差が大きい場合であっても、確実に結露を防止できるようにするためには、室内と室外との間で換気を行うことが有効である。
【０００４】
引戸の中には、例えば引戸の上部に小窓が形成され、当該小窓をガラス板で開閉することにより換気を行うことができるようになっているものがある。しかし、このような構成を備えていない引戸においては、引戸自体を開閉することにより換気を行わなければならないため、必要以上に換気が行われて室内の温度が低下するといった問題や、防犯上の問題などが生じるおそれがある。
【０００５】
そこで、下記特許文献１などでは、引戸に取付可能な換気装置が提案されている。このような換気装置を引戸に取り付ければ、引戸に換気機能を持たせることができるため、上記のような問題が生じるのを防止することができる。
【先行技術文献】
【特許文献】
【０００６】
【特許文献１】特許第３７２０９０２号公報
【発明の概要】
【発明が解決しようとする課題】
【０００７】
上記特許文献１に例示されるような換気装置は、一般に市販されているが、引戸の種類によっては取り付けることができないという問題があった。特に、近年販売されている引戸には換気装置を取り付けることができる場合が多いが、数十年前に販売されていた古いタイプの引戸などには、換気装置を取り付けることができないため、容易に換気機能を持たせることができないという問題があった。
【０００８】
本発明は、上記実情に鑑みてなされたものであり、引戸に換気機能を容易に持たせることができる下框部材、並びに、これを備えた引戸及び引き違い窓を提供することを目的とする。また、本発明は、付加価値の高い下框部材、並びに、これを備えた引戸及び引き違い窓を提供することを目的とする。
【課題を解決するための手段】
【０００９】
本発明に係る下框部材は、互いに平行に延びる１対の側板部を有する中空状の框本体と、前記框本体内に形成され、レール上を転動する戸車を取り付けるための戸車取付部と、前記１対の側板部の少なくとも一方に形成された換気口と、前記框本体に取り付けられ、前記換気口を開閉するための開閉部とを備えたことを特徴とする。
【００１０】
このような構成によれば、下框部材の框本体の側板部に換気口を形成し、当該換気口を開閉部により開閉することができるため、引戸に換気装置を別途取り付けるような構成と比較して、引戸に換気機能を容易に持たせることができる。例えば、換気装置を取り付けることができない古いタイプの引戸などであっても、本発明によれば、下框部材を交換することにより、引戸に換気機能を容易に持たせることができる。
【００１１】
下框部材ではなく、上框部材に換気口及び開閉部を設けることも考えられる。しかし、通常、上框部材は下框部材と比べて高さ方向の長さが短いため、当該上框部材に換気口及び開閉部を設けることは困難である。これに対して、下框部材は高さ方向の長さが一般的に長いため、本発明によれば、下框部材に換気口及び開閉部を容易に設けることができる。
【００１２】
また、下框部材には戸車取付部が設けられているため、戸車が消耗した場合などに、下框部材ごと交換することにより、戸車の交換と同時に、引戸に換気機能を持たせることができる。すなわち、戸車を交換する際に、必要に応じて下框部材ごと交換することにより、引戸に換気機能を持たせることができるという付加価値の高い下框部材を提供することができる。
【００１３】
戸車の種類によっては、当該戸車の生産中止などに起因して、同じ戸車に交換することができない場合もある。このような場合、別の戸車を下框部材に取り付けると、下框部材に対する戸車の高さ方向の位置がずれたり、がたつきが生じたりするおそれがある。このような場合であっても、上記のように下框部材ごと交換すれば、それらの問題が生じるのを防止することができるため、より付加価値の高い下框部材を提供することができる。
【００１４】
前記開閉部は、前記框本体に対してスライド可能に取り付けられた開閉板と、前記開閉板をスライドさせる際に操作するための操作部とを備えていてもよい。この場合、前記開閉板は、当該開閉板に形成されている開口が前記換気口に対向しない第１の位置で前記換気口を閉塞し、前記開口が前記換気口に対向する第２の位置で前記換気口を開放するものであってもよい。
【００１５】
このような構成によれば、操作部を操作して開閉板を第１の位置と第２の位置との間でスライドさせることにより、換気口を開閉することができる。したがって、換気口を容易に開閉して、換気を行うことが可能である。
【００１６】
前記戸車取付部は、前記框本体の両端部に形成されていてもよい。また、前記換気口は、前記框本体の両端部にそれぞれ形成された前記戸車取付部の間に形成されていてもよい。この場合、前記框本体内には、前記開閉板をスライド可能に保持するためのガイド部が形成されることにより、前記開閉板を前記框本体の一端部から前記框本体内に挿入し、前記ガイド部に沿って前記開閉板を取り付けた後、前記戸車を前記戸車取付部に取り付けることができるようになっていてもよい。
【００１７】
このような構成によれば、戸車取付部を有する下框部材であっても、開閉板を框本体の一端部から框本体内に挿入し、ガイド部に沿って開閉板を取り付けた後、戸車を戸車取付部に取り付けることにより、框本体内に開閉板を容易に配置することができる。したがって、戸車取付部を有する下框部材であっても、換気機能を容易に持たせることができる。
【００１８】
前記換気口は、前記１対の側板部にそれぞれ形成されていてもよい。この場合、前記１対の側板部のうち一方の側板部に換気口が形成されている第１領域と、他方の側板部に換気口が形成されている第２領域とが、互いに対向しないように配置されていてもよい。
【００１９】
このような構成によれば、１対の側板部のうち一方の側板部に換気口が形成されている第１領域と、他方の側板部に換気口が形成されている第２領域とが、互いに対向しないため、これらの換気口同士の距離を長くすることができる。換気口同士の距離が短い場合には、笛のような音が発生する場合があるため、本発明のような構成により、異音の発生を防止して、良好に換気を行うことができる下框部材を提供することができる。
【００２０】
本発明に係る引戸は、前記下框部材を含む矩形状の枠体と、前記枠体により保持される壁面部とを備えたことを特徴とする。このような構成によれば、前記下框部材による効果と同様の効果を奏する引戸を提供することができる。
【００２１】
本発明に係る引き違い窓は、複数の窓を備え、前記複数の窓の少なくとも１つが、前記下框部材を含む矩形状の枠体と、前記枠体により保持されるガラス板とを備えたことを特徴とする。このような構成によれば、前記下框部材による効果と同様の効果を奏する引き違い窓を提供することができる。
【発明の効果】
【００２２】
本発明によれば、下框部材の框本体の側板部に換気口を形成し、当該換気口を開閉部により開閉することができるため、引戸に換気機能を容易に持たせることができる。また、本発明によれば、戸車を交換する際に、必要に応じて下框部材ごと交換することにより、引戸に換気機能を持たせることができるという付加価値の高い下框部材を提供することができる。
【図面の簡単な説明】
【００２３】
【図１】本発明の一実施形態に係る下框部材を備えた引戸の一例を示す正面図である。
【図２】下框部材を斜め下方から見た斜視図である。
【図３】下框部材の正面図である。
【図４】内側引戸及び外側引戸の断面図である。
【発明を実施するための形態】
【００２４】
図１は、本発明の一実施形態に係る下框部材１を備えた引戸１００の一例を示す正面図である。本実施形態における引戸１００は、室内と室外とを区画するためのものであり、室内側に位置する内側引戸１０１と、室外側に位置する外側引戸１０２とからなる。ただし、本発明は、２つの引戸１００を備えた構成に限らず、３つ以上の引戸１００を備えた構成や、１つの引戸１００からなる構成にも適用することができる。また、他の形態からなる引戸１００に、本発明に係る下框部材１を適用することも可能である。
【００２５】
内側引戸１０１及び外側引戸１０２は、それぞれ下框部材１以外に、当該下框部材１に対して平行に延びる上框部材２と、下框部材１及び上框部材２の両端部を連結する２つの横框部材３とを備えている。これらの框部材１〜３は、矩形状に枠組みされた枠体４を構成している。この例では、下框部材１と上框部材２との間に、さらに中框部材５が、下框部材１及び上框部材２に対して平行に延びるように設けられているが、当該中框部材５を省略することも可能である。
【００２６】
枠体４は、壁面部としてガラス板６を保持することにより、窓を構成している。すなわち、本実施形態では、複数の窓を備えた引き違い窓に、本発明が適用された場合が示されている。この場合、引き違い窓に備えられた複数の窓のうち、少なくとも１つの窓に本発明を適用することができる。この例では、下框部材１と中框部材５との間、及び、上框部材２と中框部材５との間に、それぞれガラス板６が保持されているが、中框部材５を省略した場合には、下框部材１と上框部材２との間に、ガラス板６が保持された構成であってもよい。また、枠体４によって保持される壁面部は、ガラス板６に限らず、室内と室外とを区画することができるような構成であれば、他のあらゆる壁面部を採用することができる。
【００２７】
下框部材１には、レール上を転動する戸車１１が取り付けられている。この例では、戸車１１が下框部材１の両端部に設けられており、それぞれ引戸１００に対して直交する方向に延びる回転軸１２を中心に、回転可能に取り付けられている。これにより、引戸１００を水平方向にスライドさせる際、レール上で戸車１１を転動させて、引戸１００をスムーズにスライドさせることができる。
【００２８】
内側引戸１０１及び外側引戸１０２は、互いに隣接して平行に延びており、図１のように互いの端部のみが対向した閉状態において、鍵７により相対的な移動を規制することができるようになっている。本実施形態では、下框部材１に換気口１３が形成されることにより、図１のような閉状態であっても、室内と室外との間で換気を行うことができるようになっている。
【００２９】
図２は、下框部材１を斜め下方から見た斜視図である。図３は、下框部材１の正面図である。図４は、内側引戸１０１及び外側引戸１０２の断面図である。図４に示すように、内側引戸１０１及び外側引戸１０２は、それぞれレール部材２００から上方に突出するように形成されたレール２０１上に保持され、各レール２０１上で戸車１１を転動させることにより、内側引戸１０１及び外側引戸１０２をそれぞれスライドさせることができるようになっている。
【００３０】
レール部材２００は、図４のように斜めに延びるベース板２０２により２つのレール２０１が連結された構成に限らず、例えば段差を有するベース板により２つのレール２０１が連結された構成や、各レール２０１が分離した構成など、他のあらゆる構成を採用することができる。
【００３１】
以下では、図２〜図４を参照して、下框部材１の具体的な構成例について説明する。この例では、内側引戸１０１及び外側引戸１０２の両方に、本発明に係る下框部材１が適用された場合について説明するが、このような構成に限らず、いずれか一方のみに適用された構成などであってもよい。
【００３２】
下框部材１は、水平方向に沿って長尺な形状を有する框本体２０を備えている。この框本体２０は、例えばアルミニウムを材料とした押出成形により一体的に形成することができる。框本体２０は、互いに平行に延びる１対の側板部２１を備えており、これらの１対の側板部２１が間隔を隔てて連結されることにより、中空状に形成されている。ただし、框本体２０の材料としては、アルミニウムに限らず、他のあらゆる材料を採用することができる。また、框本体２０は、押出成形により一体的に形成されるものに限らず、例えば組み立てられるような構成などであってもよい。
【００３３】
この例では、図４に示すように、１対の側板部２１の下部が、水平方向に延びる下板部２２により連結されるとともに、１対の側板部２１の上部が、水平方向に延びる上板部２３により連結されている。外側引戸１０２の下框部材１においては、下板部２２と上板部２３との間に、水平方向に延びる中板部２４がさらに設けられ、当該中板部２４によって１対の側板部２１の中央部が連結されている。
【００３４】
図２に示すように、下板部２２における長手方向の両端部には、それぞれ開口２５が形成されている。框本体２０内における開口２５の上方の領域は、戸車１１を取り付けるための戸車取付部２６を構成している。当該戸車取付部２６には、例えば戸車１１を固定するための機構（図示せず）が備えられている。これにより、下方から開口２５を介して框本体２０内に戸車１１を挿入し、当該戸車１１を戸車取付部２６に取り付けることができるようになっている。
【００３５】
図４に示すように、１対の側板部２１と下板部２２とにより框本体２０の下部に形成された断面Ｕ字状の部分は、下方からレール２０１を受け入れるためのレール受入部２７を構成している。また、１対の側板部２１と上板部２３とにより框本体２０の上部に形成された断面Ｕ字状の部分は、上方からガラス板６などの壁面部を受け入れるための壁面部受入部２８を構成している。
【００３６】
各側板部２１の内面の下端部には、図４に示すように、シール材１４を取り付けるための爪部２９が、長手方向の一端部から他端部まで延びるように形成されていてもよい。この場合、例えば各框本体２０における一方の側板部２１の爪部２９にシール材１４が取り付けられてもよい。この例では、各框本体２０における室外側の側板部２１の爪部２９にシール材１４が取り付けられている。ただし、各框本体２０における少なくとも一方の爪部２９を省略することも可能である。
【００３７】
内側引戸１０１の下框部材１における上板部２３、及び、外側引戸１０２の下框部材１における中板部２４には、図４に示すように、各下框部材１の長手方向の両端部に横框部材３を連結するための連結部３０が形成されていてもよい。各下框部材１の長手方向の両端部に横框部材３を嵌め合わせた状態で、横框部材３側から連結具（図示せず）を挿入し、各連結部３０に連結することにより、各下框部材１に横框部材３を固定することができる。
【００３８】
本実施形態では、各下框部材１における１対の側板部２１の両方に、換気口１３が形成されている。これらの換気口１３は、各側板部２１において、框本体２０の両端部にそれぞれ形成された戸車取付部２６の間、すなわち戸車取付部２６よりも中央側に形成されている。
【００３９】
この例では、図３に示すように、一方の側板部２１の両端部における戸車取付部２６よりもやや中央側に、それぞれ複数の換気口１３１が形成されるとともに、他方の側板部２１におけるさらに中央側に、それぞれ複数の換気口１３２が形成されている。これにより、一方の側板部２１に換気口１３１が形成されている第１領域Ｒ１と、他方の側板部２１に換気口１３２が形成されている第２領域Ｒ２とが、互いに対向しないように配置されている。
【００４０】
下框部材１の長さ（幅）は、例えば８００〜９００ｍｍ程度である。また、各換気口１３は、例えば幅８ｍｍ、高さ１６ｍｍの長穴により形成することができる。ただし、各換気口１３は、このような形状に限らず、他のあらゆる形状に形成することができる。また、換気口１３は各側板部２１に複数設けられた構成に限らず、１つだけ設けられた構成などであってもよい。
【００４１】
本実施形態では、室内側の側板部２１に形成された換気口１３を開閉するための開閉部１５が、框本体２０の内側に取り付けられている。開閉部１５は、例えば開閉板１５１と操作部１５２とを備えている。開閉板１５１の材料としては、アルミニウムの他、ステンレスや鉄などのアルミニウム以外の金属、あるいは樹脂など、他のあらゆる材料を採用することができる。
【００４２】
室内側の側板部２１の内面には、開閉板１５１をスライド可能に保持するためのガイド部３１が形成されている。この例では、側板部２１の長手方向の一端部から他端部まで、ガイド部３１が水平方向に延びるように形成されており、当該ガイド部３１に沿って開閉板１５１を水平方向にスライドさせることができるようになっている。
【００４３】
ただし、ガイド部３１は、側板部２１の長手方向の一端部から他端部まで形成された構成に限らず、例えば一部が削られるなどして除去されることにより、側板部２１の一端部から他端部の間で部分的に形成された構成などであってもよい。また、図３のように、側板部２１の長手方向の両端縁までガイド部３１が形成された構成に限らず、例えば両端縁から戸車取付部２６までの部分がそれぞれ削られるなどして除去された構成などであってもよい。
【００４４】
操作部１５２は、開閉板１５１をスライドさせる際に操作するためのものである。この例では、図２及び図３に示すように、室内側の側板部２１に水平方向に延びる長穴３２が形成されており、この長穴３２を介して、開閉板１５１に取り付けられた操作部１５２が框本体２０の外部（室内側）に臨んでいる。したがって、ユーザは、操作部１５２を長穴３２に沿って移動させることにより、開閉板１５１を水平方向にスライドさせることができる。
【００４５】
開閉板１５１は、側板部２１の換気口１３が形成されている第１領域Ｒ１に対向する長方形状の部材であり、側板部２１の換気口１３と框本体２０の内部とを連通するための開口１５３が形成されている。この例では、各開閉板１５１に複数の開口１５３が形成されており、これらの開口１５３の形状、数及び間隔などが、当該開閉板１５１に対向している第１領域Ｒ１の換気口１３の形状、数及び間隔などに対応している。
【００４６】
これにより、図３のように、開閉板１５１に形成されている開口１５３が換気口１３に対向しない第１の位置では、換気口１３が閉塞される。一方、この状態から操作部１５２を操作して開閉板１５１をスライドさせ、図４のように、開口１５３が換気口１３に対向する第２の位置に移動した場合には、換気口１３と框本体２０の内部とが開口１５３を介して連通されることにより、換気口１３が開放される。
【００４７】
この場合、一方の側板部２１の第１領域Ｒ１に形成されている換気口１３と、他方の側板部２１の第２領域Ｒ２に形成されている換気口１３とが、框本体２０内の空間を介して連通されるため、室内と室外との間で換気を行うことが可能になる。このように、操作部１５２を操作して開閉板１５１を第１の位置と第２の位置との間でスライドさせることにより、換気口１３を容易に開閉して、換気を行うことができる。
【００４８】
ただし、開閉部１５としては、上記のような構成に限らず、換気口１３を開閉可能な他のあらゆる構成を採用することができる。また、框本体２０の内側ではなく、外側に開閉部１５を設けることも可能である。また、室内側ではなく室外側の側板部２１に開閉部１５が設けられていてもよいし、室内側及び室外側の両方の側板部２１に開閉部１５が設けられていてもよい。
【００４９】
換気口１３の少なくとも一方は、例えば網などの通気性を有する部材（図示せず）で覆われていてもよい。上記部材を室外側の側板部２１に設けた場合には、室外から框本体２０内への異物（例えば虫など）の侵入を防止することができる。一方、上記部材を室内側の側板部２１に設けた場合には、室内から框本体２０内への異物の侵入を防止することができるだけでなく、ユーザが換気口１３に指などを挿入するのを防止することができる。これにより、ユーザが換気口１３に指などを挿入した状態で開閉部１５が閉じられることにより、ユーザが怪我をするといった事態を防止することができる。
【００５０】
また、１対の側板部２１のうち一方の側板部２１にのみ換気口１３が形成され、当該換気口１３に開閉部１５が設けられた構成であってもよい。この場合、例えば下板部２２などの側板部２１以外の部分にも換気口１３が形成されることにより、室内と室外との間で換気を行うことができるようになっていてもよい。例えば、１対の側板部２１の下部を連結する下板部２２が省略された構成の場合には、框本体２０の下部が開放されているため、室外側の側板部２１に換気口１３を形成しなくても、框本体２０の下部から換気を行うことができる。このように、室内側の側板部２１にのみ換気口１３が形成された構成の場合には、当該換気口１３に開閉部１５が設けられていれば、当該換気口１３を室内から容易に開閉することが可能である。
【００５１】
以上のような実施形態によれば、下框部材１の框本体２０の側板部２１に換気口１３を形成し、当該換気口１３を開閉部１５により開閉することができるため、引戸１００に換気装置を別途取り付けるような構成と比較して、引戸１００に換気機能を容易に持たせることができる。例えば、換気装置を取り付けることができない古いタイプの引戸などであっても、本実施形態によれば、下框部材１を交換することにより、引戸１００に換気機能を容易に持たせることができる。
【００５２】
下框部材１ではなく、上框部材２に換気口１３及び開閉部１５を設けることも考えられる。しかし、通常、上框部材２は下框部材１と比べて高さ方向の長さが短いため、当該上框部材２に換気口１３及び開閉部１５を設けることは困難である。これに対して、下框部材１は高さ方向の長さが一般的に長いため、本実施形態によれば、下框部材１に換気口１３及び開閉部１５を容易に設けることができる。
【００５３】
また、下框部材１には戸車取付部２６が設けられているため、戸車１１が消耗した場合などに、下框部材１ごと交換することにより、戸車１１の交換と同時に、引戸１００に換気機能を持たせることができる。すなわち、戸車１１を交換する際に、必要に応じて下框部材１ごと交換することにより、引戸１００に換気機能を持たせることができるという付加価値の高い下框部材１を提供することができる。
【００５４】
戸車１１の種類によっては、当該戸車１１の生産中止などに起因して、同じ戸車１１に交換することができない場合もある。このような場合、別の戸車１１を下框部材１に取り付けると、下框部材１に対する戸車１１の高さ方向の位置がずれたり、がたつきが生じたりするおそれがある。このような場合であっても、上記のように下框部材１ごと交換すれば、それらの問題が生じるのを防止することができるため、より付加価値の高い下框部材１を提供することができる。
【００５５】
また、本実施形態では、図３に矢印Ａで示す方向に沿って、開閉板１５１を框本体２０の一端部から框本体２０内に挿入し、ガイド部３１に沿って開閉板１５１を取り付けた後、戸車１１を戸車取付部２６に取り付けることができるようになっている。これにより、戸車取付部２６を有する下框部材１であっても、開閉板１５１を框本体２０の一端部から框本体２０内に挿入し、ガイド部３１に沿って開閉板１５１を取り付けた後、戸車１１を戸車取付部２６に取り付けることにより、框本体２０内に開閉板１５１を容易に配置することができる。したがって、戸車取付部２６を有する下框部材１であっても、換気機能を容易に持たせることができる。
【００５６】
さらに、本実施形態では、１対の側板部２１のうち一方の側板部２１に換気口１３が形成されている第１領域Ｒ１と、他方の側板部２１に換気口１３が形成されている第２領域Ｒ２とが、互いに対向しないため、これらの換気口１３同士の距離を長くすることができる。換気口１３同士の距離が短い場合には、笛のような音が発生する場合があるため、本実施形態のような構成により、異音の発生を防止して、良好に換気を行うことができる下框部材１を提供することができる。
【符号の説明】
【００５７】
１      下框部材
２      上框部材
３      横框部材
４      枠体
５      中框部材
６      ガラス板
１１    戸車
１３    換気口
１５    開閉部
２０    框本体
２１    側板部
２２    下板部
２３    上板部
２４    中板部
２６    戸車取付部
３１    ガイド部
３２    長穴
１００  引戸
１０１  内側引戸
１０２  外側引戸
１５１  開閉板
１５２  操作部
１５３  開口
２００  レール部材
２０１  レール
Ｒ１    第１領域
Ｒ２    第２領域
【図１】
2013213358.tif 000003
【図２】
2013213358.tif 000004
【図３】
2013213358.tif 000005
【図４】
2013213358.tif 000006